【事件の表示】
　特許第２７３３７４７号「引戸」の特許に対する特許異議の申立てについて、次のとおり決定する。
【結論】
　訂正を認める。
　特許第２７３３７４７号の特許を維持する。
【理由】
Ｉ．手続の経緯
　本件特許第２７３３７４７号に係る出願は、平成６年１０月１８日の出願であって、平成１０年１月９日に特許の設定登録がなされ、その後、三協アルミニウム工業株式会社外２名から特許異議の申立がなされ、取消理由通知が通知され、その指定期間内である平成１１年７月１６日に訂正請求がなされた後、訂正拒絶理由通知が通知され、それに対して平成１１年９月３０日付けで手続補正書が提出されたものである。
ＩＩ．訂正請求及び補正について
１．訂正請求に対する補正の適否について
　特許権者が行った、訂正請求に対する補正は、訂正請求書中の訂正事項の
イ．訂正事項ａにおける訂正請求書第２頁第１９〜２６行の「【請求項１】浴室等の出入口に設けられる方形の枠体における下枠の上面部を、下枠の底壁部上の溝幅方向に適宜間隔で並設され且つ長手方向に一体形成された複数の上面が平面状のすのこ形成体に、滑り止め効果を有する軟質樹脂性のカバーを着脱可能に装着して平面状に形成し、上記枠体内に引違い式に並列に設けられる障子の下縁にガイド部を突設し、前記並設されたすのこ形成体の間で、該障子の下縁に突設したガイド部を案内するガイド溝を設けると共に、該ガイド溝よりも浴室外側に下枠の長手方向に沿って捕水溝を設けてなることを特徴とする引き戸。」を、「【請求項１】浴室等の出入口に設けられる方形の枠体における下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成し、上記枠体内に引違い式に並列に設けられる障子の下縁にガイド部を突設し、前記並設されたすのこ形成体の間で、該障子の下縁に突設したガイド部を案内するガイド溝を設けると共に、該ガイド溝よりも浴室外側に下枠の長手方向に沿って捕水溝を設けてなることを特徴とする引き戸。」と補正し、
ロ．訂正事項ｂにおける訂正請求書第３頁第１０〜１３行、訂正事項ｃにおける訂正請求書第３頁第２８行〜第４頁第２行及び訂正事項ｇにおける訂正請求書第７頁第３〜６行の「下枠の底壁部上の溝幅方向に適宜間隔で並設され且つ長手方向に一体形成された複数の上面が平面状のすのこ形成体に、滑り止め効果を有する軟質樹脂性のカバーを着脱可能に装着して」を「下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して」と補正し、
ハ．訂正事項ｄにおける訂正請求書第４頁第１８〜２０行の「下枠１ｃの底壁部上の溝幅方向に適宜間隔で並設され且つ長手方向に一体形成された複数の上面が平面状のすのこ形成体２６に、滑り止め効果を有する軟質樹脂性のカバー２７を着脱可能に装着して」を「下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して」と補正し、
ニ．訂正事項ｅにおける訂正請求書第４頁第１４〜２０行の「下枠１ｃの底壁部上の溝幅方向に適宜間隔で並設され且つ長手方向に一体形成された複数の上面が平面状のすのこ形成体２６に、滑り止め効果を有する軟質樹脂性のカバー２７を着脱可能に装着して平面状に形成するとともに、前記並設されたすのこ形成体２６の間で、上記枠体内に引違い式に並列に設けられる障子３ａ、３ｂ、３ｃの下縁に突設したガイド部２０を案内するガイド溝２１を設けると共に、」を「下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して平面状に形成するとともに、前記複数並設され上面を平面状に形成したＴ字状のすのこ形成体２６の間で、上記枠体内に引違い式に並列に設けられる障子３ａ、３ｂ、３ｃの下縁に突設したガイド部２０を案内するガイド溝２１を形成すると共に、」と補正し、
ホ．訂正事項ｆにおける訂正請求書第６頁第１１〜１４行の「下枠の底壁部上の溝幅方向に適宜間隔で並設され且つ長手方向に一体形成された複数の上面が平面状のすのこ形成体に、滑り止め効果を有する軟質樹脂性のカバー２７を着脱可能に装着して」を「下枠の底壁部上の溝幅方向に適宜間隔で複数並設され且つ長手方向に一体形成され上面を平面状に形成したＴ字状のすのこ形成体に、滑り止め効果を有する軟質樹脂製のカバー２７を着脱可能に装着して」と補正するものであり、当該訂正請求に対する補正イ．は、訂正請求書に添付した明細書又は図面を基準とし、特許請求の範囲の減縮に該当するものであり、また、補正ロ．〜ホ．は、減縮された請求の範囲の記載と発明の詳細な説明の記載との整合を図るためのもので、明瞭でない記載の釈明に該当するものであり、さらに、いずれの補正も、訂正請求書に添付した明細書又は図面に記載された事項の範囲内の補正であり、しかも、訂正請求書に添付した明細書又は図面における特許請求の範囲を実質上拡張し、又は変更するものではないから、訂正請求書の要旨を変更するものではなく、当該訂正請求に対する補正は、特許法第１２０条の４第３項でさらに準用する同法第１３１条第２項の規定に適合する。
２．訂正の要旨
　訂正事項ａ：特許請求の範囲を、特許請求の範囲の減縮を目的として、次のように訂正する。
「【請求項１】浴室等の出入口に設けられる方形の枠体における下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成し、上記枠体内に引違い式に並列に設けられる障子の下縁にガイド部を突設し、前記並設されたすのこ形成体の間で、該障子の下縁に突設したガイド部を案内するガイド溝を設けると共に、該ガイド溝よりも浴室外側に下枠の長手方向に沿って捕水溝を設けてなることを特徴とする引き戸。」
　訂正事項ｂ：明細書の段落【０００６】の記載を、明瞭でない記載の釈明を目的として、次のように訂正する。
「【０００６】
　【課題を解決するための手段】
　上記目的を達成するために本発明に係る引戸は、浴室等の出入口に設けられる方形の枠体における下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成し、上記枠体内に引違い式に並列に設けられる障子の下縁にガイド部を突設し、前記並設されたすのこ形成体の間で、該障子の下縁に突設したガイド部を案内するガイド溝を設けると共に、該ガイド溝よりも浴室外側に下枠の長手方向に沿って捕水溝を設けたことを特徴とする。」
　訂正事項ｃ：明細書の段落【０００７】の記載を、明瞭でない記載の釈明を目的として、次のように訂正する。
「【０００７】
　【作用】
　本発明に係る引戸においては、下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成されているため歩き易いことは勿論のこと、下枠の上面部に障子下縁のガイド部を案内するガイド溝及びガイド溝よりも浴室外側に捕水溝が下枠の長手方向に沿って設けられているため、浴室等の出入口から流出しようとする水を先ずガイド溝により捕集することができ、たとえガイド溝で捕集し切れなかったとしても上記捕水溝により確実に捕集することが可能となる。このため、浴室等の出入口からの水の流出を十分に防止することが可能となり、家屋床面の水漏れの防止が図れる。」
　訂正事項ｄ：明細書の段落【００１２】の記載を、明瞭でない記載の釈明を目的として、次のように訂正する。
「【００１２】
　一方、上記下枠１ｃの上面部を、下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して平面状に形成し、上記障子３ａ、３ｂ、３ｃの下縁にはガイド部２０が下方へ突設され、上記下枠１ｃの上面部には長手方向に沿って上記ガイド部２０を摺動可能に係合させて案内するガイド溝２１が形成されている。また、上記下枠１ｃの上面部における上記ガイド溝２１よりも浴室外１４側（家屋床面２２側）にはガイド溝２１と同様に捕水溝２３が下枠１ｃの長手方向に沿って設けられている。」
　訂正事項ｅ：明細書の段落【００１３】の記載を、明瞭でない記載の釈明を目的として、次のように訂正する。
「【００１３】
　具体的には、上記ガイド部２０は、各障子３ａ、３ｂ、３ｃの下框に浴室内側に位置させて長手方向に連続してそれぞれ一体的に形成され、浴室内側からの水の流出を妨げるようになっている。また、上記下枠１ｃの上面部を、下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して平面状に形成するとともに、前記複数並設され上面を平面状に形成したＴ字状のすのこ形成体２６の間で、上記枠体内に引違い式に並列に設けられる障子３ａ、３ｂ、３ｃの下縁に突設したガイド部２０を案内するガイド溝２１を形成すると共に、該ガイド溝２１よりも浴室外側に下枠１ｃの長手方向に沿って捕水溝２３を設けることにより歩き易いすのこ状を呈している。このすのこ状の下枠１ｃ上面部におけるガイド溝２１及び捕水溝２３による捕水機能の向上及び排水機能を持たせるために、図３に示すように下枠１ｃの上面部には浴室内１３側に傾斜した底壁部２４を有する溝２５が長手方向に沿って設けられると共に、この溝２５の底壁部２４上には複数（実施例では３本）の断面Ｔ字状のすのこ形成体２６が溝幅方向に適宜間隔で且つ長手方向に連続して一体形成されている。これら断面Ｔ字状のすのこ形成体２６により内部容量の大きいガイド溝２１及び捕水溝２３が構成されている。」
　訂正事項ｆ：明細書の段落【００１５】の記載を、明瞭でない記載の釈明を目的として、次のように訂正する。
「【００１５】
　以上のように構成された引戸においては、下枠１ｃの上面部を下枠の底壁部上の溝幅方向に適宜間隔で複数並設され且つ長手方向に一体形成され上面を平面状に形成したＴ字状のすのこ形成体に、滑り止め効果を有する軟質樹脂製のカバー２７を着脱可能に装着して平面状に形成されているため歩き易いことは勿論のこと、下枠１ｃの上面部に障子下端縁のガイド部２０を案内するガイド溝２１及び該ガイド溝２１よりも浴室外１４側に捕水溝２３が下枠１ｃの長手方向に沿って設けられているため、浴室の出入口２から流出しようとする水を先ずガイド溝２１により捕集することができ、たとえガイド溝２１で捕集し切れなかったとしても上記捕水溝２３により確実に捕集することが可能となる。このため、浴室等の出入口２からの水の流出を十分に防止することが可能となり、家屋床面２２の水漏れの防止が図れる。」
　訂正事項ｇ：明細書の段落【００２０】の記載を、明瞭でない記載の釈明を目的として、次のように訂正する。
「【００２０】
　【発明の効果】
　以上要するに本発明に係る引戸によれば、下枠の上面部を下枠の底壁部上の溝幅方向に適宜間隔で複数並設され且つ長手方向に一体形成され上面を平面状に形成した断面Ｔ字状のすのこ形成体に、滑り止め効果を有する軟質樹脂製のカバーを着脱可能に装着して下枠の上面部が平面状に形成されているため歩き易いことは勿論のこと、下枠の上面部に障子下縁のガイド部を案内するガイド溝及びガイド溝よりも浴室外側に捕水溝が下枠の長手方向に沿って設けられているため、浴室等の出入口から流出しようとする水を先ずガイド溝により捕集することができ、たとえガイド溝で捕集し切れなかったとしても上記捕水溝により確実に捕集することが可能となる。このため、浴室等の出入口からの水の流出を十分に防止することが可能となり、家屋床面の水漏れの防止が図れる。」
３．訂正の適否
（１）訂正の目的の適否、新規事項の有無及び拡張・変更の存否
　上記訂正事項ａに係る訂正は、特許請求の範囲の減縮に該当し、願書に添付した明細書の記載の範囲内のものであり、実質的に特許請求の範囲を拡張又は変更するものではない。
　また、訂正事項ｂ乃至ｇに係る訂正は、訂正事項ａに関連してなされた明瞭でない記載の釈明に該当し、願書に添付した明細書の記載の範囲内のものであり、実質的に特許請求の範囲を拡張又は変更するものではない。
（２）独立特許要件の判断
　イ．訂正明細書の請求項１に係る発明
　訂正明細書の請求項１に係る発明は、補正された訂正明細書の特許請求の範囲の請求項１に記載された、以下の事項により特定されるものである（以下、「訂正後発明」という。）。
「【請求項１】浴室等の出入口に設けられる方形の枠体における下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成し、上記枠体内に引違い式に並列に設けられる障子の下縁にガイド部を突設し、前記並設されたすのこ形成体の間で、該障子の下縁に突設したガイド部を案内するガイド溝を設けると共に、該ガイド溝よりも浴室外側に下枠の長手方向に沿って捕水溝を設けてなることを特徴とする引き戸。」
　ロ．引用刊行物記載の発明
　これに対して、当審が先に通知した取消理由通知及び訂正拒絶理由通知で引用した、実願平４−６２８３２号（実開平６−１８５８９号）のＣＤーＲＯＭ（以下、「引用例１」という。）は、本件において従来例としてあげているものであるが、その段落【０００１】、【０００５】及び図３〜図５を参照すると、浴室等の出入口に設けられ、方形の枠体とこの枠体内に引違い式に並列に設けられる引戸とを備えていて、枠体を構成する敷居フレームの上面に長手方向に沿って平坦な転動面と狭幅の案内溝が並設され、この案内溝には引戸の下端縁から下方に向けて突設されたスライド舌片がスライド自在に嵌挿させ、さらに該案内溝を敷居フレームの近傍に配設した排水路に連通させた引戸装置」が記載されている。
　また、同、実願平１−１２４７３０号（実開平３−６２９６４号）のマイクロフィルム（以下、「引用例２」という。）には、実用新案登録請求の範囲、第６頁第１４行〜第７頁第１２行及び第２図の記載を参照すると、浴室の洗い場と脱衣室との境界部に設けられ、脱衣室の床面と敷居部の上面と洗い場床の上面とが略同一面上に一致され、且つ、溝内にゴム製の滑り止め材が嵌着された複数の溝形ステンレス型材を溝形材にねじ付けしてなる敷居であって、折り戸の下端部に突設された突起の軌条となる、溝形ステンレス型材間の隙間及び溝形ステンレス型材間の隙間よりも脱衣室側に敷居の長手方向に沿った隙間を捕水溝とする点が記載されている。
　さらに、同、実願平３−１０１５３４号（実開平５−４９９８８号）のＣＤーＲＯＭ（以下、「引用例３」という。）には、実用新案登録請求の範囲、段落【００１１】、【００１２】、【００１６】及び第１図の記載を参照すると、浴室等の出入口の下枠に、水抜き孔があけられている下枠本体より上方に突出し、横断面略Ｙ形で押出方向に長い並列状の凸条と、これらの凸条の二股部の上端部にそれぞれ被せ止められかつ平坦状の頂面を有する軟質塩化ビニル樹脂製の滑止め被覆部材とよりなる引戸案内部が設けられ、被覆部材の平坦状頂面が浴室等の出入口の内外両側の床面と略同レベルとなされている引戸案内装置が記載されている。
　ハ．対比・判断
　本件訂正後発明と、引用例１に記載された発明とを比較すると、引用例１に記載された発明の「引戸」、「敷居フレーム」、「転動面」、「案内溝」、「スライド舌片」及び「引戸装置」は、それぞれの機能に照らし、各々、訂正後発明の「障子」、「下枠」、「すのこ形成体」、「ガイド溝」、「ガイド部」及び「引戸」に相当する。また、引用例１に記載された発明の「排水路に連通させた案内溝」は、訂正後発明の「捕水溝」と同様の機能を有するものと認められるから、両者は、浴室等の出入口に設けられる方形の枠体における下枠の上面部を、下枠の底壁部上の溝幅方向に適宜間隔で且つ長手方向に複数並設され上面を平面状に形成したすのこ形成体を形成し、上記枠体内に引違い式に並列に設けられる障子の下縁にガイド部を突設し、前記並設されたすのこ形成体の間で、該障子の下縁に突設したガイド部を案内するガイド溝を設けると共に、下枠の長手方向に沿って設けられた該ガイド溝を捕水溝とする引戸の点で一致し、訂正後発明では、下記の構成を有しているのに対し、引用例１に記載された発明では、そのような構成がない点で相違している。
ａ．捕水溝は、ガイド溝よりも浴室外側に設けられている点。
ｂ．すのこ形成体が、下枠の底壁部上に一体形成されている点。
ｃ．すのこ形成体は、上面を平面状に形成した断面Ｔ字状であって、それに、滑り止め効果を有する軟質樹脂製のカバーを着脱可能に装着している点。
　一方、上記引用例２に記載された発明の「浴室の洗い場と脱衣室との境界部」、「溝形ステンレス型材」、「折り戸の下端部に突設された突起の軌条となる溝形ステンレス型材間の隙間」、「脱衣室側」及び「敷居」は、それぞれの機能に照らし、各々、訂正後発明の「浴室等の出入口」、「すのこ形成体」、「ガイド溝」、「浴室外側」及び「下枠」に相当するから、引用例２には上記相違点ａ．の、捕水溝を、ガイド溝よりも浴室外側にも設けるという構成が記載されていることになる。
　また、上記引用例３に記載された発明の「凸条」及び「平坦状の頂面を有する軟質塩化ビニル樹脂製の滑止め被覆部材」は、それぞれの機能に照らし、各々、訂正後発明の「すのこ形成体」及び「滑り止め効果を有する軟質樹脂性のカバー」に相当するから、引用例３には上記相違点ｂ．の、すのこ形成体が、下枠の底壁部上に一体形成されているという構成が記載されていることになる。
　さらに、上記相違点ｃ．の構成のうち、すのこ形成体に、滑り止め効果を有する軟質樹脂製のカバーを着脱可能に装着しているという構成は、同じく引用例３に開示された被覆部材が、横断面略Ｙ形の凸条にそれぞれ被せ止めるだけである上、軟質であることから、これを着脱可能に装着することは、当業者なら当然想到しうる程度のことであり、すのこ形成体に滑り止め効果を有する軟質樹脂製のカバーを着脱可能に装着しているという構成は、引用例３に記載されているといえる。
　しかしながら、同じく上記相違点ｃ．のうちの、すのこ形成体を、上面を平面状に形成した断面Ｔ字状とし、それに滑り止め効果を有する軟質樹脂製のカバーを装着しているという構成（以下、「構成Ａ」という。）は、上記各引用例のいずれにも記載されておらず、又、示唆するところもない。そして、本件訂正後発明は、当該構成Ａによって、平成１１年９月３０日付けで提出された特許異議意見書で述べている、足で踏んだ際の感触は、断面Ｕ字状やＹ字状の溝型状の部材で形成したすのこ形成体に軟質樹脂製のカバーを被覆したのに比して上面が平面であるため、軟質樹脂製のカバーを通して溝型状の部材の凹凸下違和感や痛みを感じることなく歩き易く、また、足腰の弱った高齢者や身障者の人が溝型状の部材の凹凸部に躓いて転ぶようなことも防ぐことができるという作用効果を奏するものであるから、本件訂正後発明が上記各引用例に記載された発明に基いて当業者が容易に発明をすることができたものとはいえない。
　さらに、上記引用例１〜３に記載された発明を、いかなる組合せで試みたとしても、本件訂正後発明の構成に想到できたとは、認めることができない。
　また、他に本件訂正後発明が独立して特許を受けることができない理由を発見しない。
　ニ．むすび
　したがって、本件訂正後発明は、特許出願の際、独立して特許を受けることができるものである。
（３）訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
ＩＩＩ．異議の申立てについての判断
　１．本件訂正後発明
　訂正明細書の請求項に係る発明は、ＩＩ．３．（２）イ．訂正明細書の請求項１に係る発明で認定したように、訂正明細書の特許請求の範囲の請求項１に記載されたとおりのものである（以下、「訂正後発明」という。）。
　２．申立ての理由の概要
　申立人三協アルミニウム工業株式会社は、証拠として甲第１及び２号証を提出して、本件請求項１に係る発明の特許は、甲第１及び２号証に記載された発明に基づいて、当業者が容易に発明をすることができたものであるから、特許法第２９条第２項の規定により特許を受けることができないものであり、本件の特許を取り消すべきであると主張している。
　３．甲各号証について
　上記申立人の提出した甲第１号証刊行物である実願平４−６２８３２号（実開平６−１８５８９号）のＣＤーＲＯＭは、取消理由に引用した引用例１と同じであり、また、甲第２号証刊行物である実願平１−１２４７３０号（実開平３−６２９６４号）のマイクロフィルムは、取消理由に引用した引用例２と同じであるから、甲各号証刊行物記載の発明は、前記ＩＩ．３．（２）ロ．引用刊行物記載の発明で認定したとおりである。
　４．対比・判断
　前記ＩＩ．３．（２）ハ．対比・判断で示したように、本件訂正後発明が上記甲第１及び２号証刊行物に記載された発明に基いて当業者が容易に発明をすることができたものとはいえない。
ＩＶ．むすび
　以上のとおりであるから、異議申立ての理由及び証拠によっては、本件訂正後発明の特許を取り消すことはできない。
　また、他に本件訂正後発明の特許を取り消すべき理由を発見しない。
　よって、結論のとおり決定する。
【異議決定日】
平成１１年１１月８日（１９９９．１１．８）
【訂正の要旨】
訂正の要旨
　訂正事項ａ：特許請求の範囲を、特許請求の範囲の減縮を目的として、次のように訂正する。
「【請求項１】浴室等の出入口に設けられる方形の枠体における下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成し、上記枠体内に引違い式に並列に設けられる障子の下縁にガイド部を突設し、前記並設されたすのこ形成体の間で、該障子の下縁に突設したガイド部を案内するガイド溝を設けると共に、該ガイド溝よりも浴室外側に下枠の長手方向に沿って捕水溝を設けてなることを特徴とする引き戸。」
　訂正事項ｂ：明細書の段落【０００６】の記載を、明瞭でない記載の釈明を目的として、次のように訂正する。
「【０００６】
　【課題を解決するための手段】
　上記目的を達成するために本発明に係る引戸は、浴室等の出入口に設けられる方形の枠体における下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成し、上記枠体内に引違い式に並列に設けられる障子の下縁にガイド部を突設し、前記並設されたすのこ形成体の間で、該障子の下縁に突設したガイド部を案内するガイド溝を設けると共に、該ガイド溝よりも浴室外側に下枠の長手方向に沿って捕水溝を設けたことを特徴とする。」
　訂正事項ｃ：明細書の段落【０００７】の記載を、明瞭でない記載の釈明を目的として、次のように訂正する。
「【０００７】
　【作用】
　本発明に係る引戸においては、下枠の上面部を、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して平面状に形成されているため歩き易いことは勿論のこと、下枠の上面部に障子下縁のガイド部を案内するガイド溝及びガイド溝よりも浴室外側に捕水溝が下枠の長手方向に沿って設けられているため、浴室等の出入口から流出しようとする水を先ずガイド溝により捕集することができ、たとえガイド溝で捕集し切れなかったとしても上記捕水溝により確実に捕集することが可能となる。このため、浴室等の出入口からの水の流出を十分に防止することが可能となり、家屋床面の水漏れの防止が図れる。」
　訂正事項ｄ：明細書の段落【００１２】の記載を、明瞭でない記載の釈明を目的として、次のように訂正する。
「【００１２】
　一方、上記下枠１ｃの上面部を、下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して平面状に形成し、上記障子３ａ、３ｂ、３ｃの下縁にはガイド部２０が下方へ突設され、上記下枠１ｃの上面部には長手方向に沿って上記ガイド部２０を摺動可能に係合させて案内するガイド溝２１が形成されている。また、上記下枠１ｃの上面部における上記ガイド溝２１よりも浴室外１４側（家屋床面２２側）にはガイド溝２１と同様に捕水溝２３が下枠１ｃの長手方向に沿って設けられている。」
　訂正事項ｅ：明細書の段落【００１３】の記載を、明瞭でない記載の釈明を目的として、次のように訂正する。
「【００１３】
　具体的には、上記ガイド部２０は、各障子３ａ、３ｂ、３ｃの下框に浴室内側に位置させて長手方向に連続してそれぞれ一体的に形成され、浴室内側からの水の流出を妨げるようになっている。また、上記下枠１ｃの上面部を、下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して平面状に形成するとともに、前記複数並設され上面を平面状に形成したＴ字状のすのこ形成体２６の間で、上記枠体内に引違い式に並列に設けられる障子３ａ、３ｂ、３ｃの下縁に突設したガイド部２０を案内するガイド溝２１を形成すると共に、
該ガイド溝２１よりも浴室外側に下枠１ｃの長手方向に沿って捕水溝２３を設けることにより歩き易いすのこ状を呈している。このすのこ状の下枠１ｃ上面部におけるガイド溝２１及び捕水溝２３による捕水機能の向上及び排水機能を持たせるために、図３に示すように下枠１ｃの上面部には浴室内１３側に傾斜した底壁部２４を有する溝２５が長手方向に沿って設けられると共に、この溝２５の底壁部２４上には複数（実施例では３本）の断面Ｔ字状のすのこ形成体２６が溝幅方向に適宜間隔で且つ長手方向に連続して一体形成されている。これら断面Ｔ字状のすのこ形成体２６により内部容量の大きいガイド溝２１及び捕水溝２３が構成されている。」
　訂正事項ｆ：明細書の段落【００１５】の記載を、明瞭でない記載の釈明を目的として、次のように訂正する。
「【００１５】
　以上のように構成された引戸においては、下枠１ｃの上面部を下枠の底壁部上の溝幅方向に適宜間隔で複数並設され且つ長手方向に一体形成され上面を平面状に形成したＴ字状のすのこ形成体に、滑り止め効果を有する軟質樹脂製のカバー２７を着脱可能に装着して平面状に形成されているため歩き易いことは勿論のこと、下枠１ｃの上面部に障子下端縁のガイド部２０を案内するガイド溝２１及び該ガイド溝２１よりも浴室外１４側に捕水溝２３が下枠１ｃの長手方向に沿って設けられているため、浴室の出入口２から流出しようとする水を先ずガイド溝２１により捕集することができ、たとえガイド溝２１で捕集し切れなかったとしても上記捕水溝２３により確実に捕集することが可能となる。このため、浴室等の出入口２からの水の流出を十分に防止することが可能となり、家屋床面２２の水漏れの防止が図れる。」
　訂正事項ｇ：明細書の段落【００２０】の記載を、明瞭でない記載の釈明を目的として、次のように訂正する。
「【００２０】
　【発明の効果】
　以上要するに本発明に係る引戸によれば、下枠の上面部を下枠の底壁部上の溝幅方向に適宜間隔で複数並設され且つ長手方向に一体形成され上面を平面状に形成した断面Ｔ字状のすのこ形成体に、滑り止め効果を有する軟質樹脂製のカバーを着脱可能に装着して下枠の上面部が平面状に形成されているため歩き易いことは勿論のこと、下枠の上面部に障子下縁のガイド部を案内するガイド溝及びガイド溝よりも浴室外側に捕水溝が下枠の長手方向に沿って設けられているため、浴室等の出入口から流出しようとする水を先ずガイド溝により捕集することができ、たとえガイド溝で捕集し切れなかったとしても上記捕水溝により確実に捕集することが可能となる。このため、浴室等の出入口からの水の流出を十分に防止することが可能となり、家屋床面の水漏れの防止が図れる。」
（５４）【発明の名称】
引戸
（５７）【特許請求の範囲】
　【請求項１】
　浴室等の出入口に設けられる方形の枠体における下枠の上面部を
、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して
前記並設されたすのこ形成体の間で、該障子の下縁に突設した
【発明の詳細な説明】
　【０００１】
　【産業上の利用分野】
　本発明は、浴室等の出入口に設けられる引戸に係り、特に上記出入口からの水の流出を十分に防止できるようにした引戸に関する。
　【０００２】
　【従来の技術】
　浴室等の出入口に設けられる引戸としては、例えば実開平６−１８５８９号公報に記載されているような引戸が知られている。この引戸は、図５ないし図６に示すように浴室等の出入口２に設けられる方形の枠体１と、この枠体１内に引違い式に並列に設けられる障子３ａ、３ｂ、３ｃとを備えている。上記枠体１を構成する下枠１ｃの上側には長手方向に沿って溝２５が形成され、この溝２５には長手方向に沿って複数のガイドブロック３０が並設されることにより、下枠１ｃの上面部が平面状のすのこ状に形成されている。
　【０００３】
　上記障子３ａ、３ｂ、３ｃの下縁にはガイド部２０が突設され、上記隣接するガイドブロック３０間及び浴室外側ガイドブロック３０と浴室外側溝壁３１との間には上記ガイド部２０を案内するガイド溝２１が形成されている。このように構成された引戸においては、上記下枠１ｃの上面部が平面状に形成されているため歩き易く、また、障子３ａ、３ｂ、３ｃの閉じ方が不十分であったり障子３ａ、３ｂ、３ｃの水密性等に起因して上記出入口２からの水の流出を生じた場合、捕水機能を有する上記ガイド溝２１により上記出入口２からの水の流出をある程度防ぐことが可能とされている。
　【０００４】
　【発明が解決しようとする課題】
　しかしながら、上記引戸においては、上記下枠１ｃにおけるガイド溝２１よりも浴室外側が直ちに脱衣場等の家屋床面２２につながっているため、上記ガイド溝２１で水を捕集し切れなかった場合、図６にＷで示すように水が浴室外１４まで流れ出して家屋床面２２を濡らすという問題があった。
　【０００５】
　そこで、本発明の目的は、浴室等の出入口からの水の流出を十分に防止することが可能で、家屋床面の水漏れの防止が図れる引戸を提供することにある。
　【０００６】
　【課題を解決するための手段】
　上記目的を達成するために本発明に係る引戸は、浴室等の出入口に設けられる方形の枠体における下枠の上面部を
、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して
前記並設されたすのこ形成体の間で、該障子の下縁に突設した
　【０００７】
　【作用】
　本発明に係る引戸においては、下枠の上面部を
、下枠の底壁部上の溝幅方向に適宜間隔で複数並設され且つ長手方向に一体形成され上面を平面状に形成した断面Ｔ字状のすのこ形成体に滑り止め効果を有する軟質樹脂製のカバーを着脱可能に装着して
　【０００８】
　【実施例】
　以下に、本発明を浴室用の引戸に適用した一実施例を添付図面に基づいて詳述する。図１〜図４において、１は浴室の出入口２に設けられる引戸の枠体１で、この枠体１は左右の縦枠１ａと、これら両縦枠１ａ間に掛け渡された上枠１ｂ及び下枠１ｃとを方形に組立てて構成される。この枠体１を構成する上枠１ｂ及び下枠１ｃと縦枠１ａとの接合部には、シール部材（図示省略）が設けられている。また、上記枠体１内の開口には引違い式に並列に三枚の障子３ａ、３ｂ、３ｃが開閉可能に設けられている。各障子３ａ、３ｂ、３ｃは、方形の框４の内側に不透明ガラス５等を嵌込んで組立てられている。
　【０００９】
　上記各障子３ａ、３ｂ、３ｃの上端両側部には対の吊りローラ６が設けられ、上記上枠１ｂの下部の開放された内部７には上記吊りローラ６を走行可能に案内するためのガイドレール８が設けられている。このガイドレール８は長手方向で二分割されて上記上枠１ｂの内部上壁部９に係合部１０及びネジ１１で着脱可能に取付けられ、その一方を取外すことにより障子３ａ、３ｂ、３ｃの取付け取外し作業が容易に行えるようになっている。上記枠体１、障子３ａ、３ｂ、３ｃの框４及びガイドレール８は、例えばアルミニウム等の金属製の押出形材からなっているが、合成樹脂製の形材からなっていてもよい。
　【００１０】
　上記ガイドレール８は、上枠１ｂの溝幅方向ほぼ中間部に配置される中間レールとして形成されている。従って、上記ガイドレール８が主として中間障子３ｂの吊りローラ６を支持するようになっていることから、上枠１ｂの両側壁１２ａ、１２ｂ内面には浴室内１３側及び浴室外１４側の障子３ａ、３ｃの吊りローラ６を案内する補助レール部１５ａ、１５ｂが形成されている。また、本実施例の吊りローラ６はローラホルダ１６の一側に設けられた片輪構造であることから、上記ガイドレール８が各障子３ａ、３ｂ、３ｃの吊りローラ６のローラホルダ１６を規制して吊りローラ６の横振れを防止するようにもなっている。
　【００１１】
　上枠１ｂには両端の何れか一方の障子、実施例では浴室外１４側の障子３ｃをその吊りローラ６を介して固定するための障子固定ネジ１７が設けられ、他方の障子、実施例では溶室内１３側の障子３ａの戸先部には取っ手１８が取付けられている。また、障子３ａ、３ｂ、３ｃの框４には隣接する召合部同士を係合させる係合部１９が設けられている。
　【００１２】
　一方、上記下枠１ｃの上面部
を、下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して平面状に形成し
　【００１３】
　具体的には、上記ガイド部２０は、各障子３ａ、３ｂ、３ｃの下框に浴室内側に位置させて長手方向に連続してそれぞれ一体的に形成され、浴室内側からの水の流出を防げるようになっている。また、上記下枠１ｃの上面部
を、下枠１ｃの底壁部上の溝幅方向に適宜間隔で複数並設され且つ長手方向に一体形成され上面を平面状に形成したＴ字状のすのこ形成体２６に、滑り止め効果を有する軟質樹脂製のカバー２７を着脱可能に装着して平面状に形成するとともに、前記複数並設され上面を平面状に形成したＴ字状のすのこ形成体２６の間で、上記枠体内に引違い式に並列に設けられる障子３ａ、３ｂ、３ｃの下縁に突設したガイド部２０を案内するガイド溝２１を形成すると共に、該ガイド溝２１よりも浴室外側に下枠１ｃの長手方向に沿って
　【００１４】
　また、上記各すのこ形成体２６の上面部（水平部分）には滑り止め効果を有する軟質樹脂製のカバー２７が自らの弾性力により着脱可能に装着さられている。上記ガイド溝２１は、隣接するすのこ形成体２６間及び最浴室内側すのこ形成体２６と浴室内側で立上がつたリブ状の溝壁２８との間にそれぞれ形成されている。そして、上記すのこ形成体２６及び浴室内側溝壁２８には、これらを貫通させて上記ガイド溝２１及び捕水溝２３を浴室内１３と連通させる排水路２９が適宜設けられている。この排水路２９は、図２に示すように下枠１ｃの長手方向に適宜、例えば中央部及び両端部等に位置させて設けられている。本実施例の排水路２９は、排水孔からなっている。
　【００１５】
　以上のように構成された引戸においては、
下枠１ｃの上面部を下枠の底壁部上の溝幅方向に適宜間隔で複数並設され且つ長手方向に一体形成され上面を平面状に形成したＴ字状のすのこ形成体に、滑り止め効果を有する軟質樹脂製のカバー２７を着脱可能に装着して
　【００１６】
　すなわち、障子３ａ、３ｂ、３ｃの閉じ方が不十分であったり障子３ａ、３ｂ、３ｃの水密性等に起因して浴室内１３側から出入口２の下枠１ｃの上面部を通って浴室外１４側へ水が流出しようとする場合、下枠１ｃの上面部には複数のガイド溝２１及び該ガイド溝２１よりも浴室外１４側に捕水溝２３が下枠１ｃの長手方向に沿って開口形成されているため、上記水は自らの重力で先ずガイド溝２１内に流下して捕集され、ガイド溝２１で捕集し切れなかった水が上記捕水溝２３内に流下して捕集されるようになる。
　【００１７】
　また、下枠１ｃの上部に溝２５を形成し、この溝２５内に断面Ｔ字状のすのこ形成体２６を溝幅方向に適宜間隔で設けることにより上記ガイド溝２１及び捕水溝２３を形成しているため、これらガイド溝２１及び捕水溝２３の内部容量を大きく取ることができ、且つこれらガイド溝２１及び捕水溝２３が排水路２９を介して浴室内１３と連通しているため、多量の流出水を溢流させることなく排水処理することができる。更に、従来例に示した引戸と異なり、障子３ａ、３ｂ、３ｃの下縁部に設けられるガイド部２０を浴室内１３側にずらして配設したので、従来例の引戸では最浴室外側のガイド溝であったものを専用の捕水溝とすることができ、新たに捕水溝を設ける必要がないので製造コストの増大や下枠の幅寸法の増大を招くことがない。
　【００１８】
　以上、本発明の実施例を図面により詳述してきたが、本発明は前記実施例に限定されるものではなく、本発明の要旨を逸脱しない範囲での種々の設計変形等が可能である。例えば、上記実施例では、障子３ａ、３ｂ、３ｃが上枠１ｂに吊りローラ６及びガイドレール８等を介して懸垂支持されているが、障子３ａ、３ｂ、３ｃは下枠１ｃのすのこ形成体２６上に摺動或いは車輪を介して走行可能に支持されていてもよい。また、実施例では、三枚の障子３ａ、３ｂ、３ｃを備えた引戸が示されているが、引戸としては、二枚の障子を有するもの、或いは四枚以上の障子を有するものであってもよい。
　【００１９】
　上記実施例では、下枠１ｃの上面部をすのこ状に形成するために断面Ｔ字のすのこ形成体２６が採用されているが、このすのこ形成体２６の代りに図５の従来例に示されているようなガイドブロック３０を採用してもよい。また、上記実施例では、すのこ形成体２６及び浴室内側溝壁２８を貫通するように排水孔からなる排水路２９が設けられているが、排水路としては例えばすのこ形成体の一部を切除して形成してもよく（この場合、切除部はカバー２７で隠蔽できる。）、或いは下枠１ｃの溝２５の底壁部２４を貫通して浴室内或いは外部に排水するように形成してもよい。更に、本発明に係る引戸は、溶室用に限らず、窓用等にも適用可能である。
　【００２０】
　【発明の効果】
　以上要するに本発明に係る引戸によれば、
下枠の上面部を下枠の底壁部上の溝幅方向に適宜間隔で複数並設され且つ長手方向に一体形成きれ上面を平面状に形成した断面Ｔ字状のすのこ形成体に、滑り止め効果を有する軟質樹脂製のカバーを着脱可能に装着して
【図面の簡単な説明】
　【図１】本発明の一実施例である引戸を示す図２のＡ−Ａ線断面図である。
　【図２】本発明の一実施例である引戸を溶室側から見た正面図である。
　【図３】図１の引戸の要部拡大断面図である。
　【図４】図２のＢ−Ｂ線拡大断面図である。
　【図５】従来の引戸を一例を示す部分的側断面図である。
　【図６】図５の引戸の概略的平断面図である。
　【符号の説明】
１　枠体、　１ｃ　下枠、　２　出入口、　３ａ、３ｂ、３ｃ　障子、　１３　浴室内、　１４　浴室外、　２０　ガイド部、　２１　ガイド溝、　２３　捕水溝、　２２　家屋床面、　２６　すのこ形成体、　２９　排水路。